(57)【特許請求の範囲】
【請求項１】
電気的接続構造を備えた第一部材と第二部材とを枢着するヒンジ装置であって、導電性を有する軸部材の一端側に前記第一部材に取り付けられる第一取付部を設け、軸部材の他端側に前記第二部材に取り付けられる第二取付部を設け、この第一取付部と第二取付部とのいずれか一方若しくは双方を軸部材に対し相対回動可能に設け、この第一取付部に前記軸部材と接触する第一導電部を付設すると共にこの第一導電部は前記第一取付部の外部に露出状態に設けて、この第一取付部を前記第一部材の連結部に取り付けすると、この連結部に配線された第一部材の前記電気的接続部に第一導電部が接触するように構成し、前記第二取付部に前記軸部材と接触する第二導電部を付設すると共にこの第二導電部は前記第二取付部の外部に露出状態に設けて、この第二取付部を前記第二部材の連結部に取り付けすると、この連結部に配線された第二部材の前記電気的接続部に第二導電部が接触するように構成し、この第二導電部と前記第一導電部とに前記軸部材が嵌挿して接触する構成として第二導電部と第一導電部とが軸部材を介して電気的に接続するように設け、前記第一部材を第一取付部に取り付けると共に前記第二部材を第二取付部に取り付けると、この第一部材の電気的接続部と第二部材の電気的接続部とが第一導電部，軸部材，第二導電部を介して電気的に接続されるように構成したことを特徴とするヒンジ装置。
【請求項２】
前記軸部材を導電性を有する素材で構成するか若しくは軸部材に一端側から他端側にかけて導電材を付設して、前記第一導電部と前記第二導電部とがこの軸部材を介して電気的に接続するように構成したことを特徴とする請求項１記載のヒンジ装置。
【請求項３】
前記第一取付部にカム部若しくはカム係合部を設け、このカム部若しくはカム係合部に係合するカム係合部若しくはカム部を前記第二取付部に設け、このカム部，カム係合部の少なくとも一方を係合離反方向にスライド移動自在に設けると共に、このカム部，カム係合部の少なくとも一方が係脱するに際して離反方向に移動した際係合方向に付勢する係合付勢機構を設けて、この係合付勢機構により前記カム部とカム係合部との係合は係脱せず回動ロック状態が保持されるように構成し、このカム部，カム係合部のいずれか一方を前記係合付勢機構に抗して離反方向に移動させつつ回動させることで前記カム係合部に対してカム部を係脱させ、前記第一部材に対して前記第二部材を相対回動させるように構成したことを特徴とする請求項１，２のいずれか１項に記載のヒンジ装置。
【発明の詳細な説明】
【０００１】
【発明の属する技術分野】
本発明は、例えば、ノート型と称されるパソコンやワープロ、或いは携帯電話などにおける操作部を備えた本体部とディスプレイ部を備えた開閉蓋部とを起伏回動自在に枢着するために使用されるヒンジ装置に関するものである。
【０００２】
【従来の技術及び発明が解決しようとする課題】
例えば、折り畳みタイプの携帯電話は、中央のヒンジ装置を介して枢着される一側の第一部材にはディスプレイ部が設けられ、反対側の第二部材には操作部が設けられた構造となっており、この操作部とディスプレイ部とはヒンジ装置を介して電気的に接続されていて、操作部の操作がディスプレイ部に反映表示されるように構成されている。
【０００３】
従来、この種の折り畳み式携帯電話においては、一般的にディスプレイ部と操作部とを電気的に接続する接続線がヒンジ装置内を通る構成となっているが、携帯電話を開閉操作する度にヒンジ装置内でこの接続線が折れ曲がったり捩れたりするため、長期間使用していると接触不良を起こしたり、場合によっては接続線が断線したりするのではないかとの懸念がある。
【０００４】
本発明は、このような問題点に着目し、ヒンジ装置内に接続線を通すのではなく、ヒンジ装置を構成する部品自体に導電性を持たせる構成とすることで、従来のような不具合を生じる懸念を解消し、更に第一部材と第二部材とを枢着して成る電子機器の製作も容易となる画期的なヒンジ装置を提供するものである。
【０００５】
【課題を解決するための手段】
添付図面を参照して本発明の要旨を説明する。
【０００６】
電気的接続構造を備えた第一部材６と第二部材７とを枢着するヒンジ装置であって、導電性を有する軸部材１の一端側に前記第一部材６に取り付けられる第一取付部２を設け、軸部材１の他端側に前記第二部材７に取り付けられる第二取付部４を設け、この第一取付部２と第二取付部４とのいずれか一方若しくは双方を軸部材１に対し相対回動可能に設け、この第一取付部２に前記軸部材１と接触する第一導電部３を付設すると共にこの第一導電部３は前記第一取付部２の外部に露出状態に設けて、この第一取付部２を前記第一部材６の連結部に取り付けすると、この連結部に配線された第一部材６の前記電気的接続部に第一導電部３が接触するように構成し、前記第二取付部４に前記軸部材１と接触する第二導電部５を付設すると共にこの第二導電部５は前記第二取付部４の外部に露出状態に設けて、この第二取付部４を前記第二部材７の連結部に取り付けすると、この連結部に配線された第二部材７の前記電気的接続部に第二導電部５が接触するように構成し、この第二導電部５と前記第一導電部３とに前記軸部材１が嵌挿して接触する構成として第二導電部５と第一導電部３とが軸部材１を介して電気的に接続するように設け、前記第一部材６を第一取付部２に取り付けると共に前記第二部材７を第二取付部４に取り付けると、この第一部材６の電気的接続部と第二部材７の電気的接続部とが第一導電部３，軸部材１，第二導電部５を介して電気的に接続されるように構成したことを特徴とするヒンジ装置に係るものである。
【０００７】
また、前記軸部材１を導電性を有する素材で構成するか若しくは軸部材１に一端側から他端側にかけて導電材を付設して、前記第一導電部３と前記第二導電部５とがこの軸部材１を介して電気的に接続するように構成したことを特徴とする請求項１記載のヒンジ装置に係るものである。
【０００８】
また、前記第一取付部２にカム部11若しくはカム係合部12を設け、このカム部11若しくはカム係合部12に係合するカム係合部12若しくはカム部11を前記第二取付部４に設け、このカム部11，カム係合部12の少なくとも一方を係合離反方向にスライド移動自在に設けると共に、このカム部11，カム係合部12の少なくとも一方が係脱するに際して離反方向に移動した際係合方向に付勢する係合付勢機構13を設けて、この係合付勢機構13により前記カム部11とカム係合部12との係合は係脱せず回動ロック状態が保持されるように構成し、このカム部11，カム係合部12のいずれか一方を前記係合付勢機構13に抗して離反方向に移動させつつ回動させることで前記カム係合部12に対してカム部11を係脱させ、前記第一部材６に対して前記第二部材７を相対回動させるように構成したことを特徴とする請求項１，２のいずれか１項に記載のヒンジ装置に係るものである。
【０００９】
【発明の実施の形態】
好適と考える本発明の実施の形態（発明をどのように実施するか）を、図面に基づいてその作用効果を示して簡単に説明する。
【００１０】
第一取付部２を第一部材６に取り付けると第一導電部３が第一部材６の電気的接続部に接触し、第二取付部４を第二部材７に取り付けると第二導電部５が第二部材７の電気的接続部に接触する。すると、この第二導電部５と前記第一導電部３とが軸部材１を介して電気的に接続しているため、第一部材６の電気的接続部と第二部材７の電気的接続部とが第一導電部３，軸部材１，第二導電部５を介して電気的に接続されることになる。
【００１１】
従って、本発明は、ヒンジ装置内に接続線を通す従来品とは異なり、ヒンジ装置自体に導電する構成であるから、接続線が断線したりするような懸念は全くなく、極めて耐久性に秀れると共に良好な電気的接続状態が維持されることになり、しかもヒンジ装置内に接続線を通すような作業は不要で、単に第一取付部２を第一部材６に取り付け、第二取付部４を第二部材７に取り付ける従来と同様のヒンジ取付作業を行うだけで第一部材６の電気的接続部と第二部材７の電気的接続部とが電通可能状態に接続されるため、電気的接続構造を備えた第一部材６と第二部材７とをヒンジ装置によって枢着して成る例えば携帯電話などの電子機器の製作も容易に行われることになるなど、極めて実用性に秀れた画期的なヒンジ装置となる。
【００１２】
また、例えば、前記第一導電部３は前記第一取付部２の外部に露出状態に設けて、この第一取付部２を前記第一部材６の連結部に取り付けすると、この連結部に配線された第一部材６の前記電気的接続部に第一導電部３が接触するように構成し、前記第二導電部５は前記第二取付部４の外部に露出状態に設けて、この第二取付部４を前記第二部材７の連結部に取り付けすると、この連結部に配線された第二部材７の前記電気的接続部に第二導電部５が接触するように構成すれば、前記作用効果を確実に発揮するヒンジ装置の構成を簡易に設計実現可能となり、一層実用的となる。
【００１３】
また、例えば、前記軸部材１を導電性を有する素材で構成するか若しくは軸部材１に一端側から他端側にかけて導電材を付設して、前記第一導電部３と前記第二導電部５とがこの軸部材１を介して電気的に接続するように構成すれば、導電性を有する軸部材１を極めて簡易に設計実現可能となる。
【００１４】
また、例えば、前記第一取付部２にカム部11若しくはカム係合部12を設け、このカム部11若しくはカム係合部12に係合するカム係合部12若しくはカム部11を前記第二取付部４に設け、このカム部11，カム係合部12の少なくとも一方を係合離反方向にスライド移動自在に設けると共に、このカム部11，カム係合部12の少なくとも一方が係脱するに際して離反方向に移動した際係合方向に付勢する係合付勢機構13を設けて、この係合付勢機構13により前記カム部11とカム係合部12との係合は係脱せず回動ロック状態が保持されるように構成し、このカム部11，カム係合部12のいずれか一方を前記係合付勢機構13に抗して離反方向に移動させつつ回動させることで前記カム係合部12に対してカム部11を係脱させ、前記第一部材６に対して前記第二部材７を相対回動させるように構成すれば、カム部11とカム係合部12との係合により回動ロック状態が保持されるため、例えば、第一部材６と第二部材７との重合閉塞状態を回動ロック状態にできるヒンジ装置に構成可能で、折り畳みタイプの携帯電話やノート型パソコンなどの電子機器用として最適な構成となる。
【００１５】
【実施例】
本発明の具体的な実施例について図面に基づいて説明する。
【００１６】
本実施例は、図１，図２に示すように、折り畳みタイプの携帯電話に適用した場合であって、ディスプレイ部８を備えた開閉蓋部を第一部材６とし、操作部９を備えた本体部を第二部材７とし、この第一部材６と第二部材７とが重合した閉塞状態から第一部材６を所定角度開放状態（使用位置）とすることができる枢着構造に本発明のヒンジ装置を適用している。
【００１７】
本実施例では、軸部材１の一端側にこの軸部材１と共に回動する第一取付部２を配設固定してこの第一取付部２に第一導電部３を付設し、軸部材１の他端側にこの軸部材１に対し相対回動可能に枢支される第二取付部４を配設してこの第二取付部４に第二導電部５を付設している。
【００１８】
具体的には、軸部材１は、導電性を有する金属製（例えば銅）であって、片側端部に鍔部を備えた形状のものを採用している。
【００１９】
第一取付部２は、リング部の周縁部に前記第一部材に取付するための取付片を複数突設した形状の部材で構成し、中心孔に軸部材１を挿通し得るように構成している。
【００２０】
また、この第一取付部２には、導電性を有する金属製（例えば銅）であって、リング部の周縁部に前記第一部材６の後述する電気的接続部（図示省略）に接触する接触片を複数突設した形状の第一導電部３を図３における左側から回り止め状態に、且つ第一取付部２の外部に接触片が露出状態となるようにして嵌め込み係止した構成としている。
【００２１】
また、本実施例では、この第一取付部２の中心孔に軸部材１を嵌挿すると、軸部材１の外周面と第一導電部３の中心孔縁部とが接触してこの軸部材１と第一導電部３とが電通可能な状態となるように軸部材１の径と第一導電部３の中心孔の孔径とを設定構成している。
【００２２】
第二取付部４は、第一部材に取り付けし得る有底円筒状の部材で構成し、更にこの円筒状体の底部（図３における右側の面）に軸部材１を挿通する軸受部（孔）10を形成して構成している。
【００２３】
また、この第二取付部４には、導電性を有する金属製であって、リング部の周縁部対向位置に前記第二部材７の後述する電気的接続部（図示省略）に接触する接触腕部を突設した形状の第二導電部５を第二取付部４の底部側（図３における右側）から回り止め状態に、且つ第二取付部４の外部に接触腕部が露出状態となるようにして被嵌係止した構成としている。
【００２４】
また、本実施例では、第二導電部５の中心孔部を介して第二取付部４の底部側から軸受部10に軸部材１を嵌挿すると、軸部材１の外周面と第二導電部５の中心孔縁部とが接触してこの軸部材１と第二導電部５とが電通可能な状態となるように軸部材１の径と第二導電部５の中心孔の孔径とを設定構成している。
【００２５】
従って、本実施例では、軸部材１の一端側に第一導電部３を備えた第一取付部２を挿通固定し、軸部材１の他端側に第二導電部５を備えた第二取付部４を回動自在に挿通配設すると、導電性を有する軸部材１に導電性を有する第一導電部３と第二導電部５とが接触して、この第二導電部５と前記第一導電部３とが軸部材１を介して電気的に接続する構成としている。
【００２６】
また、本実施例では、前記第一部材６のヒンジ連結部にディスプレイ部８や（第一部材６にアンテナが設けられたタイプのものにおいては）アンテナ16などの電気的接続部を配線し、前記第二部材７のヒンジ連結部に操作部10などの電気的接続部を配線した構成としている。
【００２７】
そして、第一部材６のヒンジ連結部に本実施例のヒンジ装置の第一取付部２を取り付けすると、この第一部材６の電気的接続部と第一導電部３とが接触し、第二部材７のヒンジ連結部に第二取付部４を取り付けすると、この第二部材７の電気的接続部と第二導電部４とが接触するように構成し、この本実施例のヒンジ装置で第一部材６と第二部材７とを枢着すると、第一部材６の電気的接続部と第二部材７の電気的接続部とが第一導電部３，軸部材１，第二導電部５を介して電気的に接続されるように構成している。
【００２８】
また、本実施例では、前記第一取付部２に軸部材１と共に回動するカム係合部12を設け、前記第一部材６と前記第二部材７とを重合閉塞状態とした際にこのカム係合部12に係合し、前記軸受部10と共に回動するカム部11を前記第二取付部４に設けている。
【００２９】
具体的には、第一取付部２の第二取付部４との対向面側（図３における右側）に、リング体の図面右側面適所に凹部を形成して成るカム係合部12をこの第一取付部２と回り止め状態に付設し、一方、第二取付部４の第一取付部２との対向面側（図３における左側）に、リング体の図面左側面適所に凸部を形成して成るカム部11をこの第二取付部４と回り止め状態に付設し、このカム部11の凸部が前記カム係合部12の凹部に係合した状態が第一部材６と第二部材７の回動ロック状態となるように構成している。
【００３０】
また、本実施例では、このカム部11をカム係合部12に対する係合離反方向にスライド移動自在に設けると共に、このカム部11がカム係合部12から係脱するに際して離反方向に移動した際係合方向に付勢する係合付勢機構13を設けている。
【００３１】
具体的には、前記第二取付部４の対向周面部に、この第二取付部４の筒長さ方向に沿った長さを有する凹部４Ａを形成する一方、この凹部４Ａに嵌合する嵌合凸部11Ａを前記カム部11の対向周縁部に凸設し、このカム部11の嵌合凸部11Ａを第二取付部４の凹部４Ａに嵌合することで、第二取付部４に対しカム部11が回り止め状態となり、且つ嵌合凸部11Ａが凹部４Ａに沿ってスライド移動することで、カム部11がカム係合部12に対して係合離反方向にスライド移動するように構成している。
【００３２】
また、この第二取付部４内（筒内）には、抗縮弾性を有する弾性体14（コイルバネ）を前記軸部材１に対して被嵌状態に配設し、この弾性体14によってカム部11が常にカム係合部12に対して係合方向に付勢する係合付勢機構13を構成している。
【００３３】
従って、この係合付勢機構13により前記カム部11とカム係合部12との係合は係脱せず回動ロック状態が保持されて前記第一部材６と前記第二部材７の重合閉塞状態が保持されるように構成し、このカム部11を前記係合付勢機構13に抗して離反方向に移動させつつ回動させることで前記カム係合部12に対してカム部11を係脱させ、前記第一部材６に対して前記第二部材７を相対回動させることができるように構成している。
【００３４】
また、本実施例では、前記カム係合部12に設けた凹部以外の対向頂部面を前記カム部11の凸部が回動に際して前記係合付勢機構13により圧接した状態で摺動する摺動面15とし、カム部11の凸部がカム係合部12の凹部に係合する前記回動ロック状態以外の回動領域ではカム部11の凸部が係合付勢機構13によってこの摺動面15に圧接することによる回動抵抗が付与されるように構成している。
【００３５】
即ち、このカム部11の凸部が係合付勢機構13によって摺動面15に圧接する回動抵抗によって、前記回動ロック状態（第一部材６と第二部材７との重合閉塞状態）以外の回動領域では、第二部材７に対し第一部材６がどのような角度でも停止できるフリーストップとなるように構成しているもので、本実施例では、このフリーストップを実現するに十分な回動抵抗を生じるように係合付勢機構13（弾性体14）の付勢力を設定構成している。
【００３６】
また、本実施例のヒンジ装置の組み立て構造を説明すると、前記軸部材１を前記第二導電部５を備えた第二取付部４の底部面（図３における右側面）側から軸受部10に通して第二取付部４の底部面を軸部材１の鍔部に抜け止め状態に当接させ、この第二取付部４内に図３における左側から軸部材１に弾性体14を被嵌した後、カム部11を凹部４Ａに嵌合凸部11Ａを嵌合させて配設し、このカム部11の左側から前記第一導電部３とカム係合部12とを備えた前記第一取付部２を軸部材１に対して挿通配設した後、この軸部材１の先端部をカシメ止めすることで、図４，図５に示すような本実施例のヒンジ装置を完成させている。
【００３７】
従って、本実施例では、上述のように構成したから、既存のヒンジ装置に対して、単に軸部材１を導電性を有する金属製とし、更に第一取付部２に所定形状の第一導電部３を追加して嵌め込むと共に、第二取付部４に所定形状の第二導電部４を追加して嵌め込むだけの構成のため、生産性が落ちず、且つさほどコスト高ともならないなど極めて秀れた構成となる。
【００３８】
尚、本発明は、本実施例に限られるものではなく、各構成要件の具体的構成は適宜設計し得るものである。
【００３９】
【発明の効果】
本発明は上述のように構成したから、ヒンジ装置内に接続線を通す従来品とは異なり、ヒンジ装置自体に導電する構成であるから、接続線が断線したりするような懸念は全くなく、極めて耐久性に秀れと共に良好な電気的接続状態が維持されることになり、しかもヒンジ装置内に接続線を通すような作業は不要で、単に第一取付部を第一部材に取り付け、第二取付部を第二部材に取り付ける従来と同様のヒンジ取付作業を行うだけで第一部材の電気的接続部と第二部材の電気的接続部とが電通可能状態に接続されるため、電気的接続構造を備えた第一部材と第二部材とをヒンジ装置によって枢着して成る例えば携帯電話などの電子機器の製作も容易に行われることになるなど、極めて実用性に秀れた画期的なヒンジ装置となる。
【００４０】
また、請求項２記載の発明においては、導電性を有する軸部材を極めて簡易に設計実現可能となる一層実用性に秀れたヒンジ装置となる。
【００４１】
また、請求項３記載の発明においては、カム部とカム係合部との係合により回動ロック状態が保持されるため、例えば、第一部材と第二部材との重合閉塞状態を回動ロック状態にできるヒンジ装置に構成可能で、折り畳みタイプの携帯電話やノート型パソコンなどの電子機器用として最適な構成となる一層実用性に秀れたヒンジ装置となる。
【図面の簡単な説明】
【図１】  本実施例の使用状態を示す説明図である。
【図２】  図１の要部拡大説明図本実施例のである。
【図３】  本実施例の分解斜視図である。
【図４】  本実施例を示す斜視図である。
【図５】  本実施例を示す側断面図である。
【符号の説明】
１  軸部材
２  第一取付部
３  第一導電部
４  第二取付部
５  第二導電部
６  第一部材
７  第二部材
11  カム部
12  カム係合部
13  係合付勢機構
【図１】
0003796438.tif 000002
【図２】
0003796438.tif 000003
【図３】
0003796438.tif 000004
【図４】
0003796438.tif 000005
【図５】
0003796438.tif 000006